(57)【特許請求の範囲】
【請求項１】
バルコニーの下端を覆う軒天井の外周部に軒天見切縁を配設し、軒天見切縁が、建物外壁と軒天井の端部とのコーナー部を仕舞う断面略Ｌ字形の壁際見切材と、バルコニーの幕板の下端縁とこれに対向する軒天井の端部とのコーナー部を仕舞う断面略Ｌ字形の軒側見切材とを備えたバルコニーの軒天見切構造において、上記断面略Ｌ字形の軒側見切材の水平片の途中に、下方に開口し且つ水平片よりも上方に突出した逆Ｕ字状部を形成すると共に、逆Ｕ字状部の上端面を軒天井を支持する野縁に取り付け、軒側見切材の逆Ｕ字状部よりも軒天井側の内側水平部分が軒天井の端部下面と対向しており、少なくとも逆Ｕ字状部の軒天井と対向する内側面に屋外に通じる通気孔を形成し、逆Ｕ字状部の内側面とこれに対向する軒天井との間に上記通気孔と軒裏とを連通させる通気用隙間を設け、上記軒側見切材の逆Ｕ字状部よりも軒天井側の内側水平部分とこれに対向する軒天井の下面との間に、上記通気用隙間と連通する施工用隙間を形成し、施工用隙間は、上記壁際見切材の横片の長手方向の端部が軒側見切材の内側水平部分の上面に重ねて施工可能な厚みを有しており、上記軒側見切材の少なくとも逆Ｕ字状部の上端面から内側水平部分に至るように金網を斜めに張設して通気用隙間を該金網で仕切ると共に該金網に軒天井の端部を当接させることで施工用隙間を該金網で仕切るようにしたことを特徴とするバルコニーの軒天見切構造。
【発明の詳細な説明】
【技術分野】
【０００１】
本発明は、バルコニーの軒天見切構造に関し、詳しくはバルコニーの軒天井を化粧する軒天見切縁の構造に関するものである。
【背景技術】
【０００２】
従来、一般には建物のバルコニーの軒天井と建物外壁とのコーナー部に、特許文献１に見られるような断面略Ｌ字形の壁際見切材を設けた構造が知られている。さらにバルコニーの幕板の下端縁とこれに対向する軒天井の端部とのコーナー部にも、断面略Ｌ字形の軒側見切材を設けた構造が知られている。
【０００３】
一般に、軒側見切材には軒裏に空気を送りこむための通気孔を設けることにより、軒裏の換気を行なっているが、小動物や昆虫などの虫が通気孔から軒裏に入り込んだり、或いは、雨天時に強い風に乗って雨水が通気孔から軒裏に浸入することがある。そこで、従来、通気孔を金網で塞ぐことが一般的である。
【０００４】
ところで、断面略Ｌ字形の軒側見切材の水平片とこれに対向する軒天井の下面との間に所定の施工用隙間を設けるようにしている。施工用隙間を設ける必要性は、軒天井の反りや厚み寸法のばらつき、施工誤差等が原因で、軒天井の下面に軒側見切材の水平片を隙間なく密着させることが困難であること、及び、壁際見切材の横片の長手方向の端部を軒側見切材の水平片の上面に重ねて施工用隙間に入り込ませることで外観良く施工できるようにすることである。ところがこのような施工用隙間を設けた場合にあっては、そこから特に虫が入り込みやすくなるという問題があった。
【特許文献１】特開平８−１５８４７０号公報
【発明の開示】
【発明が解決しようとする課題】
【０００５】
本発明は上記の従来の問題点に鑑みて発明したものであって、１枚の金網で通気孔から軒裏への虫や雨水の浸入を阻止できると共に、壁際見切材の横片の長手方向の端部を施工用隙間に入り込ませて外観良く施工できるようにした場合でも、施工用隙間から軒裏への虫や雨水の浸入を同じ金網を用いて効率良く阻止できるバルコニーの軒天見切構造を提供することを課題とするものである。
【課題を解決するための手段】
【０００６】
前記課題を解決するために本発明は、バルコニー１の下端を覆う軒天井２の外周部に軒天見切縁３を配設し、軒天見切縁３が、建物外壁２１と軒天井２の端部とのコーナー部を仕舞う断面略Ｌ字形の壁際見切材３Ｂと、バルコニー１の幕板４の下端縁４ａとこれに対向する軒天井２の端部とのコーナー部を仕舞う断面略Ｌ字形の軒側見切材３Ａとを備えたバルコニーの軒天見切構造において、上記断面略Ｌ字形の軒側見切材３Ａの水平片５の途中に、下方に開口し且つ水平片５よりも上方に突出した逆Ｕ字状部７を形成すると共に、逆Ｕ字状部７の上端面７ａを軒天井２を支持する野縁８に取り付け、軒側見切材３Ａの逆Ｕ字状部７よりも軒天井２側の内側水平部分５ａが軒天井２の端部下面と対向しており、少なくとも逆Ｕ字状部７の軒天井２と対向する内側面７ｂに屋外に通じる通気孔９を形成し、逆Ｕ字状部７の内側面７ｂとこれに対向する軒天井２との間に上記通気孔９と軒裏１０とを連通させる通気用隙間１２を設け、上記軒側見切材３Ａの逆Ｕ字状部７よりも軒天井２側の内側水平部分５ａとこれに対向する軒天井２の下面との間に、上記通気用隙間１２と連通する施工用隙間１３を形成し、施工用隙間１３は、上記壁際見切材３Ｂの横片２０の長手方向の端部２０ａが軒側見切材３Ａの内側水平部分５ａの上面に重ねて施工可能な厚みを有しており、上記軒側見切材３Ａの少なくとも逆Ｕ字状部７の上端面７ａから内側水平部分５ａに至るように金網１４を斜めに張設して通気用隙間１２を該金網１４で仕切ると共に該金網１４に軒天井２の端部を当接させることで施工用隙間１３を該金網１４で仕切るようにしたことを特徴としている。
【０００７】
このような構成とすることで、軒側見切材３Ａの通気孔９から入った小動物や昆虫などの虫は、通気用隙間１２を仕切るように斜めに張設された金網１４にて止められ、また、風雨時に通気孔９から入った雨水は斜めに張設された金網１４を伝って内側水平部分５ａに流れ落ちて軒下へと排水されるようになる。一方、壁際見切材３Ｂの横片２０の長手方向の端部２０ａを施工用隙間１３に入り込ませて外観良く施工できるようにした場合でも、施工用隙間１３から入った雨水や虫を、同じ金網１４を用いて侵入を阻止できるようになる。
【発明の効果】
【０００８】
本発明のバルコニーの軒天見切構造にあっては、軒側見切材の少なくとも逆Ｕ字状部の上端面から内側水平部分に至るように金網を斜めに張設して通気用隙間を該金網で仕切ると共に該金網に軒天井の端部を当接させることで施工用隙間を該金網で仕切るようにしたので、１枚の金網で通気孔から軒裏への虫や雨水の浸入を阻止できる効果が得られると同時に、壁際見切材の横片の長手方向の端部を施工用隙間に入り込ませて外観良く施工できるようにした場合でも、施工用隙間から軒裏への虫や雨水の浸入を同じ金網を用いて効率良く阻止できる効果が得られる。
【発明を実施するための最良の形態】
【０００９】
以下、本発明を添付図面に示す実施形態に基いて説明する。
【００１０】
図１及び図２は、階下の屋根の上に構築される屋根上バルコニー１Ａの軒天見切構造を示し、図３は同上の軒側見切材３Ａに配設される金網１４の斜視図であり、図４は同上の軒天見切縁３の配置状態を示す平面図である。
【００１１】
屋根上バルコニー１Ａは、図２に示すように、１階の屋根の上にバルコニー床を構築し、建物外壁２１から張り出したバルコニー床の下端を短尺の軒天井２にて下方から覆っている。図中の７０は樋受梁、７１は天井断熱材、７６は雨樋、８０は屋内天井、８１は野縁である。この屋根上バルコニー１Ａでは屋根裏１１（図２（ａ））を換気する換気通路が設けられ、屋外の空気が後述の通気孔９・施工用隙間１３→金網１４→通気用隙間１２→軒裏１０を介して換気通路に送り込まれるようになっている。
【００１２】
以下、屋根上バルコニー１Ａと対応する軒天見切縁３を説明する。軒天見切縁３は例えば押出成形品からなり、図１、図４に示すように、建物外壁２１と軒天井２の壁側端部２ｂとのコーナー部を仕舞う１本の長尺状の断面略Ｌ字形の壁際見切材３Ｂと、バルコニー１の幕板４の下端縁４ａとこれに対向する軒天井２の端部（以下、「軒側端部２ａ」という）とのコーナー部を仕舞う長尺状の断面略Ｌ字形の軒側見切材３Ａとで構成されている。なお幕板４は、図２に示すバルコニー１の腰壁パネル１６の下端の前方に配置されており、幕板４の裏面は受材１７を介してバルコニー前梁１８に固定支持されている。
【００１３】
上記断面略Ｌ字形の壁際見切材３Ｂは、建物外壁２１に取り付けられる縦片１９と、軒天井２の壁側端部２ｂを下方から覆う横片２０とが一体形成されている。
【００１４】
上記断面略Ｌ字形の軒側見切材３Ａは、軒天井２の軒側端部２ａを前方から覆う垂直片６と、軒天井２の軒側端部２ａを下方から覆う水平片５とが一体形成されている。本例では軒先と両サイドをそれぞれ覆う複数本の軒側見切材３Ａ１〜３Ａ３で構成されている。
【００１５】
ここで、軒側見切材３Ａの水平片５の途中には、水平片５の略全長に亘って下方に開口し且つ水平片５よりも上方に突出した逆Ｕ字状部７が形成されている。逆Ｕ字状部７の上端面７ａは軒天井２を支持する野縁８に取り付けられる野縁取付面となっていると共に、軒側見切材３Ａの逆Ｕ字状部７よりも軒天井２側の内側水平部分５ａが軒天井２の端部下面と対向している。さらに、逆Ｕ字状部７の軒天井２と対向する内側面７ｂ、及び、軒天井２とは反対側の外側面７ｃには、それぞれ、屋外に通じる通気孔９が形成されている。なお通気孔９は例えばドリルで孔開け加工される。さらに、逆Ｕ字状部７の内側面７ｂとこれに対向する軒天井２との間には、上記通気孔９と軒裏１０とを連通させるための通気用隙間１２が設けられている。
【００１６】
また、上記軒側見切材３Ａの水平片５における逆Ｕ字状部７よりも軒天井２側の内側水平部分５ａとこれに対向する軒天井２の下面との間には、施工用隙間１３が形成されている。この施工用隙間１３は通気用隙間１２と連通していると共に、図３に示す壁際見切材３Ｂの横片２０の長手方向の端部２０ｂ（２０ａ）を軒側見切材３Ａの内側水平部分５ａの上面に重ねて施工できる程度の厚み（例えば７〜８ｍｍ程度）を有している。
【００１７】
一方、軒先と両サイドをそれぞれ覆う軒側見切材３Ａには、それぞれ、金網１４が配設されている。金網１４は、空気の流通を遮ることなく、小動物や昆虫等が軒裏１０に侵入を阻止する防虫機能と水切り機能とを併せ持っている。本例の金網１４は例えばステンレス製メッシュで構成されており、逆Ｕ字状部７の全長とほぼ同じ長さ寸法と、軒側見切材３Ａの垂直片６の内面から逆Ｕ字状部７の上端面７ａを介して内側水平部分５ａの上面に達することができる幅寸法とを有している。ここでは、１枚の金網１４の一端を軒側見切材３Ａの垂直片６の内面に接着剤で接着すると共に垂直片６の内面から逆Ｕ字状部７の上端面７ａに亘って水平に張設し、さらに逆Ｕ字状部７の上端面７ａから通気用隙間１２を仕切って内側水平部分５ａの上面に至るように斜めに張設してあり、金網１４の他端を内側水平部分５ａの上面に接着剤で接着してある。なお、金網１４は接着に限らず、ネジビス止めその他の方法で取り付けられてもよい。さらに上記斜めの金網部分１４ａの途中には軒天井２の軒側端部２ａが当接するようになっており、これにより１枚の金網１４は、通気用隙間１２を仕切る役割と施工用隙間１３を仕切る役割とを果たすものである。
【００１８】
次に施工手順の一例を説明する。先ず、野縁８をバルコニー１の下端側に固定し、壁際見切材３Ｂの縦片１９を建物外壁２１に固定した後に、軒天井２の壁側端部２ｂを壁際見切材３Ｂの横片２０の上面に掛け渡した状態で、軒天井２を野縁８に取り付ける。その後、軒先と両サイドをそれぞれ覆う軒側見切材３Ａを軒天井２の軒側端部２ａ（壁側端部以外の３辺）に沿って取り付ける。
【００１９】
ここで、軒先と両サイドをそれぞれ覆う複数本の軒側見切材３Ａは同じ断面形状を有しており、以下、図４に示す一方サイドの軒側見切材３Ａ１、他方サイドの軒側見切材３Ａ２，軒先側の軒側見切材３Ａ３として説明する。各軒側見切材３Ａ１〜３Ａ３の上面には金網１４を予め接着しておく（図３の状態）。
【００２０】
その後、軒天井２の一側部に配置される一方サイドの軒側見切材３Ａ１の壁側端部を壁際見切材３Ｂの横片２０の長手方向の一端部２０ａの下面に重ね合わせて、壁際見切材３Ｂの横片２０の一端部２０ａを施工用隙間１３に入り込ませた状態（図２（ｂ）の状態）とし、軒側見切材３Ａ１の逆Ｕ字状部７の上端面７ａから野縁８にタッピングネジを打ち込んで、軒側見切材３Ａ１を野縁８に固定する。また、軒天井２の他側部に配置される他方サイドの軒側見切材３Ａ２も同様な方法で、壁際見切材３Ｂの横片２０の他端部２０ｂを施工用隙間１３に入り込ませた状態で、軒側見切材３Ａ２を野縁８に固定する。また、軒天井２の軒先端部に配置される軒先側の軒側見切材３Ａ３の長手方向の一端部と軒側見切材３Ａ１の軒先端部とが突き合されるコーナー部において、その突き合わせ面２５（図４）は同じ断面形状をしているため、例えば、両見切材３Ａ１，３Ａ３の内面にそれぞれ設けた係止片２３（図１）にＬ形ジョイント金具（図示せず）を嵌め込んで係止連結する。同様にして、軒側見切材３Ａ３の長手方向の他端部と軒側見切材３Ａ２の軒先端部との突き合わせ面２４（図４）をＬ形ジョイント金具にて連結する。その後、軒側見切材３Ａ３の逆Ｕ字状部７の上端面７ａから野縁８にタッピングネジ２６（図１）を打ち込んで、軒側見切材３Ａ３を野縁８に固定する。なお、上記各軒側見切材３Ａ１〜３Ａ３の上端縁はそれぞれ、幕板４の受材１７の前面にあてがった状態でコーキング材２２で防水処理される。
【００２１】
上記のように各軒側見切材３Ａ１〜３Ａ３を取り付けた状態では、各軒側見切材３Ａ１〜３Ａ３にそれぞれ取り付けられている金網１４のうち、斜めの金網部分１４ａが軒天井２の下面の先端角部に当接することで、軒天井２と内側水平部分５ａとの間の施工用隙間１３が軒天井２の下面より下側の斜めの金網部分１４ａ１にて仕切られた状態となる（図１の状態）。
【００２２】
上記構成によれば、屋外の空気は、図１の矢印ａ，ｂで示すように、各軒側見切材３Ａ（３Ａ１〜３Ａ３）において、逆Ｕ字状部７の通気孔９及び施工用隙間１３から軒裏１０に送り込まれて屋根裏１１の換気が行なわれるが、通気孔９から入った小動物や昆虫などの虫は、通気用隙間１２を仕切る斜めの金網部分１４ａにて止められると共に、風雨時に通気孔９から吹き込んだ雨水は斜めの金網部分１４ａを伝って内側水平部分５ａへと流れ落ち、そこから軒下へと排水される。一方、施工用隙間１３は軒天井２の下面より下側の斜めの金網部分１４ａ１にて仕切られているので、施工用隙間１３から入った虫や雨水もその金網部分１４ａ１にて止められ、雨水は金網部分１４ａ１を伝って流れ落ち、さらに軒下へと排水されるようになる。この結果、各軒側見切材３Ａ１〜３Ａ３において、それぞれ、１枚の金網１４により通気用隙間１２及び施工用隙間１３において防水・防虫効果が得られる利点がある。また本例では水平の金網部分１４ｂが軒側見切材３Ａの垂直片６から逆Ｕ字状部７の上端面７ａに跨って配置されているので、逆Ｕ字状部７の外側面７ｃにも通気孔９を設けた場合でも、その通気孔９からの虫や雨水の侵入を防止できる利点がある。
【００２３】
また、金網１４を予め軒側見切材３Ａに取り付けておき、軒側見切材３Ａを野縁８に固定するだけで、斜めの金網部分１４ａが軒天井２の軒側端部２ａに押し当てられて通気用隙間１２と施工用隙間１３の両方が仕切られた状態となるので、施工の手間を大幅に削減できる利点がある。
【００２４】
さらに、軒側見切材３Ａの水平片５の一部に、通気孔９が形成される逆Ｕ字状部７を折曲形成したことで、軒側見切材３Ａの補強性（保形性）が向上する利点があり、また、逆Ｕ字状部７の上端面７ａを野縁取付面とすることで、逆Ｕ字状部７の上端面７ａをタッピングネジ２６を打ち込むためのスペースとして利用でき、さらにタッピングネジ２６の頭部が軒下から目立たないように隠すことができる利点もある。
【００２５】
ところで、前記屋根上バルコニー１Ａに対応する軒側見切材３Ａの逆Ｕ字状部７にドリルで通気孔９を孔開け加工したものを用いたが、図５に示すように、建物外壁２１から突出して構築される持出しバルコニー１Ｂにおいては、前記屋根上バルコニー１Ａとは異なり換気は必ずしも必要としないものであるから、ドリルで通気孔９を孔開け加工しない成形品をそのまま持ち出しバルコニー１Ｂの軒側見切材３Ａとして使用可能である。従って、本発明の軒天見切縁３は、屋根上バルコニー１Ａと持ち出しバルコニー１Ｂの両方に共用できるので、２種類の異なる形状の軒天見切縁を作製する手間とコストを削減できる利点がある。なお図５中の７０は樋受梁、７２はバルコニー床受梁、７３は軒天井下地材、７４は吊木、７５は吊木受である。
【００２６】
また、前記実施形態では、軒側見切材３Ａの垂直片６の内面から逆Ｕ字状部７の上端面７ａに至る金網部分１４ｂを水平に張設したが、この金網部分１４ｂを斜めに配置してもよい。その一例を図６に示す。この例では、逆Ｕ字状部７の外側面７ｃの通気孔９から入った雨水も斜めの金網部分１４ｂを伝って軒下へと排水されるようになるので、雨水が軒側見切材３Ａの内側に溜まることを防止できる。
【００２７】
本発明の他の実施形態を図７に示す。バルコニー１の腰壁パネル１６（図５）の表面及び幕板４の表面に、例えば、タイル３１（或いはレンガ等）を貼ったものがあるが、この場合、軒側見切材３Ａの外表面が凹んでタイル調腰壁パネル１６及びタイル調幕板４の意匠が、軒側見切材３Ａにおいて連続せずに分断されてしまい、住宅建物を全体的に見た場合、重厚感・本物感が得られず、かえって安っぽくなることがある。
【００２８】
そこで、本例では図７に示すように、軒側見切材３Ａ（図４に示した軒側見切材３Ａ１、３Ａ２，３Ａ３）のそれぞれの屋外側に、タイル調腰壁パネル１６及びタイル調幕板４と連続するタイル見切材３Ｃを被嵌させている。タイル見切材３Ｃの前面部３０はタイル調幕板４と面一となっている。なお、タイル見切材３Ｃの前面部３０の上端縁３０ａは、幕板４の前面下端に位置するタイル３１の裏面においてタッピングネジ３２で幕板４に固着されている。なお図７中の３３はコーナー部で突き合されるタイル見切材３Ｃの端部同士を連結するＬ形ジョイント金具係止用の係止片、３４は軒側見切材３Ａの水平片５を下から支える突部、３６は軒側見切材３Ａの逆Ｕ字状部７下端の突起３５に引っ掛け可能なフック部である。
【００２９】
しかして、軒側見切材３Ａをタイル見切材３Ｃで覆うと共に、タイル見切材３Ｃの前面部３０をタイル調幕板４の表面と略面一にすることで、タイル調腰壁パネル１６とタイル調幕板４とタイル見切材３Ｃとが連続した外観仕上げとなり、全体として重厚感・本物感・高級感が得られるようになる。また、タイル見切材３Ｃの下端部のフック部３６を軒側見切材３Ａの逆Ｕ字状部７下端の突起３５に引っ掛けた状態で、タイル見切材３Ｃの上端部をタッピングネジ３２で幕板４に固着するだけでよく、タイル見切材３Ｃの取り付け作業が簡単にできる利点もある。
【図面の簡単な説明】
【００３０】
【図１】本発明の一実施形態の軒天見切縁の施工状態を示し、図２（ａ）のＭ部の断面図である。
【図２】（ａ）は同上の軒天見切縁が使用される屋根上バルコニーの断面図、（ｂ）は（ａ）のＮ部の拡大図である。
【図３】同上の金網の張設状態、及び、軒側見切材と壁際見切材のコーナー部の配置状態の説明図である。
【図４】同上の軒側見切材と壁際見切材の施工状態の概略平面図である。
【図５】同上の軒天見切縁が使用される持ち出しバルコニーの断面図である。
【図６】図５の軒天見切縁の施工状態の断面図である。
【図７】本発明の他の実施形態のタイル見切材を説明する断面図である。
【符号の説明】
【００３１】
１  バルコニー
２  軒天井
２ａ  軒側端部
２ｂ  壁側端部
３  軒天見切縁
３Ａ  軒側見切材
３Ｂ  壁際見切材
４  幕板
４ａ  下端縁
５  水平片
５ａ  内側水平部分
７  逆Ｕ字状部
７ａ  上端面
７ｂ  内側面
８  野縁
９  通気孔
１０  軒裏
１２  通気用隙間
１３  施工用隙間
１４  金網
２０  横片
２０ａ  端部
【図１】
0004644116.tif 000002
【図２】
0004644116.tif 000003
【図３】
0004644116.tif 000004
【図４】
0004644116.tif 000005
【図５】
0004644116.tif 000006
【図６】
0004644116.tif 000007
【図７】
0004644116.tif 000008